(57)【要約】【課題】給気用貫通孔の開閉を段階的にあるいは一気に行うことを可能にした換気口カバーを提供すること。【解決手段】中空の挿入体３と挿入体の先端部外周側に向けて連設された化粧縁部４を具備した本体部２と、本体部２の室内側開口部を開閉する風量調整板５と、風量調整板の裏面に突設されたスライダー１０と、スライダーの周囲に回動自在に突設された風向き調整壁１９と、本体部に支持されたスライダー受け部５と、スライダーをスライダー受け部から抜ける方向へ付勢する弾性手段１２と、スライダーに形成した係止凹部１１に係脱自在に係止される係止爪１５を具備して係止爪を係止凹部に係止することでスライダーがスライダー受け部から抜ける方向へ移動することは阻止してスライダーがスライダー受け部へ挿入される方向へ移動することは許容するストッパー１３、２１を具備した。【選択図】図１
2014145576.tif 000002
【特許請求の範囲】
【請求項１】
建物の壁に形成された給気用貫通孔内に挿入される中空の挿入体（３）と、該挿入体（３）の先端部に外周側に向けて連設され、前記給気用貫通孔の孔縁を覆う化粧縁部（４）と、を具備した本体部（２）と、
該本体部（２）の室内側開口部を開閉する風量調整板（９）と、
該風量調整板（９）における前記本体部（２）側に突設された、複数個の係止凹部（１１）が形成されたスライダー（１０）と、
前記風量調整板（５）における周縁部分に回動自在に突設された、互いに高さの異なる複数の風防壁（１９ａ、１９ｂ、１９ｃ，１９ｄ）を備えた風向き調整具（１９）と、
前記本体部（２）に支持された、前記スライダー（１０）が挿抜自在に挿入されるスライダー受け部（５）と、
前記スライダー（１０）を前記スライダー受け部（５）から抜ける方向へ付勢する弾性手段（１２）と、
前記係止凹部（１１）に係脱自在に係止される係止爪（１５、２３）を具備して、係止爪（１５、２３）を前記係止凹部（１１）に係止することで、前記スライダー（１０）が前記スライダー受け部（５）から抜ける方向へ移動することは阻止し、前記スライダー（１０）がスライダー受け部（５）へ挿入される方向へ移動することは許容するストッパー（１３、２１）と、を具備したことを特徴とする換気口カバー。
【請求項２】
前記ストッパー（１３）は、
前記スライダー（１０）に形成した係止凹部（１１）に係止される係止爪部（１５）を内周側に具備して、スライダー（１０）の挿抜方向に直行する方向へスライド自在でスライダー（１０）の挿抜方向へは移動不可能な形態で、前記スライダー受け部（５）に周設される枠状のストッパー本体（１４）と、
該ストッパー本体（１４）を、前記係止爪部（１５）が係止凹部（１１）に係止される方向へ付勢する弾性部材（１６）と、
前記ストッパー本体（１４）を前記係止爪部（１５）と係止凹部（１１）との係止を解除する方向へ移動させるためのレバー（１７）と、を具備したことを特徴とする請求項１に記載の換気口カバー。
【請求項３】
前記ストッパー（２１）は、
前記スライダー（１０）に形成した係止凹部（１１）に係止される係止爪部（２３）を先端部に具備して、係止爪部（２３）と係止凹部（１１）との係止方向あるいは係止の解除方向へ回動自在にして前記スライダー受け部（５）の内部に軸支されたストッパー本体（２２）と、
該ストッパー本体（２２）を、前記係止爪部（２３）が係止凹部（１１）に係止される方向へ付勢する弾性部材（２４）と、
前記ストッパー本体（２２）を前記係止爪部（２３）と係止凹部（１１）との係止を解除する方向へ回動させるためのレバー（２５）と、を具備したことを特徴とする請求項１に記載の換気口カバー。
【発明の詳細な説明】
【技術分野】
【０００１】
本発明は、屋外から室内に通じる換気口の室内側に取り付けられる換気口カバーに係り、より詳しくは、換気口を段階的に開閉自在であるとともに一度の動作で換気口を全開あるいは全閉することも自在であり、更に、意図しないにもかかわらず換気口が全開してしまうことを防止した換気口カバーに関する。
【背景技術】
【０００２】
近年の住宅は高気密化が進んでいるために、十分な換気を行わないと、壁材などに用いられている揮発性有機化合物（ＶＯＣ）を原因とするシックハウス症候群になるおそれが考えられる。そのために、西暦２００３年の建築基準法改正により、シックハウス症候群対策として常時換気できる設備の設置が義務付けられ、それに従い、建物の室内側にも換気口カバーが取り付けられるようになった。
【０００３】
ここで、従来から用いられている換気口カバーについて説明すると、一般的に換気口カバーは、建物の壁に形成された給気用貫通孔に挿入される円筒形状の本体部と、前記給気用貫通孔を開閉自在に閉鎖する蓋としての風量調整板とを具備しており、風量調整板は、本体部に支持されるとともに、給気用貫通孔の開閉割合を調整自在としている。
【０００４】
即ち、風量調整板の裏面には、本体部側に向けて棒状のスライダーが突設されており、一方本体部には、風量調整板に突設したスライダーが挿入されるスライダー受けが具備されており、スライダー受けに対するスライダーの挿入割合を調整することにより、風量調整板による給気用貫通孔の開閉割合を調整可能としている。
【０００５】
そしてこのとき、従来の換気口カバーの中には、スライダー受けに対してスライダーを段階的に伸縮自在にすることで、風量調整板による給気用貫通孔の開閉割合を段階的に調整可能とした段階的伸縮機構を採用したものが存在していた。
【０００６】
即ち、この段階的に伸縮自在とした方法では、スプリング等の弾性手段によってスライダーを伸びる方向へ付勢するとともに、スライダーに長手方向に沿って複数の係止凹部を形成して、スライダー受けの内部にはスライダーに形成した係止凹部に係止される係止爪部を備えて、係止爪部が係止するスライダーの係止凹部の位置を変化させることで、スライダー受けに対してスライダーを段階的に伸縮自在としている。
【先行技術文献】
【特許文献】
【０００７】
【特許文献１】特開２００６−１８０９７６号公報
【特許文献２】特開２００６−１８０９７７号公報
【特許文献３】特開平９−１５８９１７号公報
【特許文献４】特開平９−２４２７２３号公報
【特許文献５】特開平１１−３１５８１２号公報
【発明の概要】
【発明が解決しようとする課題】
【０００８】
ところで、従来の段階的な伸縮機構では、段階的に伸びる場合と段階的に縮む場合があるが、段階的に伸びる機構では、一度に全開させることができないとともに、段階的に縮ませることができないという問題点が指摘されていた（特開平１１−３１５８１２号公報参照）。
【０００９】
また、段階的に縮む機構では、一度にスライダーを押し込むことで一度の動作で縮ませることは可能だが、段階的に伸ばすことができないという問題点が指摘されていた（特開平９−１５８９１７号公報、特開平９−２４２７２３号公報参照）。
【００１０】
更に、段階的に縮む機構では、完全にスライダーを縮ませて風量調整板を全閉にした状態において、更にスライダーを押し込むことで、係止爪と係止凹部との係止が解除され、それによりスライダーが最長まで伸びて風量調整板が全開状態になるために、風量調整板を全閉にするために一気にスライダーを押し込んだ場合に、風量調整板を全閉にする位置を超えてスライダーを押し込んでしまうことがあり、この場合には、風量調整板を全閉にする意図に反して、スライダーが最長位置まで戻ってしまい風量調整板が全開してしまうことがあった。このことは特に、台風等の風が強いときに、室内に風が入り込んでくることを防止するために風量調整板を一気に全閉にしようとした場合に、特に起こり易かった。
【００１１】
更にまた、従来の換気口カバーに中には、風向きを調整するための風向きコントローラーを備えたものも存在するが、従来のコントローラーでは、単に風向きを調整するのみで、細かい調整することはできなかった。
【００１２】
そこで、本発明は、建物の壁に形成された給気用貫通孔に挿入される円筒形状の本体部と、給気用貫通孔を開閉自在に閉鎖する蓋としての風量調整板とを具備した換気口カバーにおいて、段階的に風量調整板による給気用貫通孔の開閉を行うことと、１回の動作で風量調整板による給気用貫通孔の全開、全閉を行うことの双方を可能にするとともに、給気用貫通孔を全閉にした状態において風量調整板を押し込んだ場合でも給気用貫通孔が開くことが無く、更に室内に取り込む風の向きを細かく調整可能とした換気口カバーを提供することを課題としている。
【課題を解決するための手段】
【００１３】
本発明の換気口カバーは、
建物の壁に形成された給気用貫通孔内に挿入される中空の挿入体と、該挿入体の先端部に外周側に向けて連設され、前記給気用貫通孔の孔縁を覆う化粧縁部と、を具備した本体部と、
該本体部の室内側開口部を開閉する風量調整板と、
該風量調整板における前記本体部側に突設された、複数個の係止凹部が形成されたスライダーと、
前記風量調整板における周縁部分に回動自在に突設された、互いに高さの異なる複数の風防壁を備えた風向き調整具と、
前記本体部に支持された、前記スライダーが挿抜自在に挿入されるスライダー受け部と、
前記スライダーを前記スライダー受け部から抜ける方向に付性する弾性手段と、
前記係止凹部に係脱自在に係止される係止爪を具備して、係止爪を前記係止凹部に係止することで、前記スライダーが前記スライダー受け部から抜ける方向へ移動することは阻止し、スライダーがスライダー受け部へ挿入する方向へ移動することは許容するストッパーと、を具備したことを特徴としている。
【発明の効果】
【００１４】
本発明の換気口カバーでは、建物の壁に形成された給気用貫通孔内に挿入された本体部の室内側開口部を風量調整板で開閉自在に閉鎖し、風量調整板における本体部側に突設したスライダーを本体部に支持されたスライダー受け部内に挿抜自在に挿入することで、風量調整板を本体部に対して進退自在とし、スライダー受け部に対するスライダーの挿入割合を調整することで、風量調風量調整板による本体部の室内側開口部の開閉割合を調整可能としている。そして、スライダーは、複数個の係止凹部を具備するとともに、スライダー受け部から抜ける方向に付勢されており、一方、係止凹部に係止する係止爪部を有するストッパーが、スライダーが飛び出す方向へ移動することを阻止している。
【００１５】
従って、係止爪部と係止凹部との係止を解除することで、スライダー受け部に対するスライダーの挿入割合を調整することができ、そのとき、複数個の係止凹部に対して順番に係止爪部を係止させることで、段階的にスライダーを伸縮させることができるとともに、最先端あるいは最後端の係止凹部に係止爪が係止されるまで係止爪部と係止凹部との係止を解除することで、一気にスライダーを伸縮させることが可能である。
【００１６】
また、ストッパーは、スライダーがスライダー受け部から抜ける方向へ移動することを阻止しており、ストッパーを操作しない限りスライダーがスライダー受け部から抜ける方向へ移動しないとともに風量調整板も移動しないために、風量調整板が全閉状態のときに風量調整板を押し込んでも、スライダーが風量調整板に移動することがなく、意図しないにも関わらず風量調整板が全開してしまうことも無い。
【００１７】
更に本発明の換気口カバーでは、風量調整板における周縁部分に風向き調整具を回動自在に突設するとともに、この風向き調整壁は、互いに高さの異なる複数の風防壁を備えているために、この風向き調整具によって室内に取り入れる風の向きを調整できるとともに、そのとき、風向き調整具を回動することで、風量を微調整することも可能である。
【図面の簡単な説明】
【００１８】
【図１】本発明の換気口カバーの実施例の構造を説明するための断面図である。
【図２】本発明の換気口カバーの実施例の構造を説明するための断面図である。
【図３】本発明の換気口カバーの実施例における本体部を説明するための図である。
【図４】本発明の換気口カバーの実施例における本体部を説明するための図である。
【図５】本発明の換気口カバーの実施例における風向き調整具を説明するための図である。
【図６】本発明の換気口カバーの実施例におけるスライダー、スライダー受け部、及びストッパーの関係を説明するための分解図である。
【図７】本発明の換気口カバーの実施例におけるスライダー、スライダー受け部、及びストッパーの関係を説明するための図である。
【図８】本発明の換気口カバーの実施例におけるスライダー、スライダー受け部、及びストッパーの関係の他の形態を説明するための図である。
【図９】本発明の換気口カバーの実施例におけるスライダー、スライダー受け部、及びストッパーの関係の他の形態を説明するための図である。
【図１０】本発明の換気口カバーの実施例におけるスライダー、スライダー受け部、及びストッパーの関係の他の形態を説明するための図である。
【図１１】本発明の換気口カバーの実施例の他の構造を説明するための断面図である。
【発明を実施するための形態】
【００１９】
本発明の換気口カバーでは、建物の壁に形成された給気用貫通孔内に挿入される中空の挿入体を有しており、この挿入体の先端部には、室内側における給気用貫通孔の孔縁に沿って壁面を覆う化粧縁部が、室側の外周側に向けて連設されており、挿入体と化粧縁部によって本体部が構成されている。
【００２０】
また、本発明の換気口カバーでは風量調整板を有しており、この風量調整板は、前記本体部の室内側の開口部を開閉する蓋として機能する。
【００２１】
そして、この風量調整板における本体部側の面には、長尺かつ長手方向に沿って複数個の係止凹部が形成されたスライダーが突設されている。
【００２２】
そして、スライダーは、本体部の挿入部内に支持されたスライダー受け部に、挿抜自在に挿入され、これによって、風量調整板は、スライダーを介して本体部に支持されているとともに、スライダーは、スライダー受け部に具備した弾性体によって、スライダー受け部から抜ける方向へ付勢されている。
【００２３】
また、前記風量調整板における周縁部には、回動自在かつ着脱自在にして風向き調整具が本体部側に向けて突設されており、この風向き調整具は、それぞれが互いに高さの異なる複数個の風防壁によって構成されている。
【００２４】
更に、本発明はスライダーの移動を制御するストッパーを有しており、このストッパーは、スライダーの係止凹部に係止される係止爪を有しており、この係止爪を係止凹部に係止することにより、前記スライダーがスライダー受け部から抜ける方向に移動することは阻止し、スライダーがスライダー受け部内に挿入される方向へ移動することは許容することとしている。
【００２５】
ここで、前記ストッパーは、スライダーに形成した係止凹部に係止される係止爪部を内周側に具備して、スライダーの挿抜方向に直行する方向へはスライド自在で、スライダーの挿抜方向へは移動不可能な形態で、スライダー受け部に周設された枠状のストッパー本体と、ストッパー本体を、係止爪部が係止凹部に係止される方向へ付勢する弾性部材と、ストッパー本体を係止爪部と係止凹部との係止を解除する方向へ移動させるためのレバーと、を具備する構成にするとよく、これにより、スライダーの挿抜を容易に制御することが可能となる。
【００２６】
またその他の形態のストッパーとしては、スライダーに形成した係止凹部に係止される係止爪部を先端部に具備して、係止爪部と係止凹部との係止方向あるいは係止の解除方向へ回動自在にして前記スライダー受け部の内部に軸支されたストッパー本体と、ストッパー本体を、係止爪部が係止凹部に係止される方向へ付勢する弾性部材と、ストッパー本体を係止爪部と係止凹部との係止を解除する方向へ回動させるためのレバーと、を具備して構成してもよい。
【実施例１】
【００２７】
本発明の換気口カバーの実施例について図面を参照して説明すると、図１及び図２は本実施例の換気口カバーの構造を説明するための断面図である。そして、図において１が本実施例の換気口カバーであり、本実施例の換気口カバー１は、  建物の壁Ｗに形成された給気用貫通孔内Ｗ２に挿入される本体部２と、この本体部２の室内側の開口２０１を開閉自在に閉鎖する風量調整板９を具備し、本体部２に対して風量調整板９を前後方向に移動することで、本体部２の室内側開口２０１を開閉自在としている。即ち、風量調整板９で本体部２の室内側開口２０１を閉鎖した状態が図１の状態であり、風量調整板９を移動させて本体部２の室内側開口２０１を解放した状態が図２の状態である。
【００２８】
まず、前記本体部２について図面を参照して説明すると、図３は本体部２の斜視図、図４は本体部２の正面図であり、本実施例における本体部２は、建物の壁Ｗに形成された給気用貫通孔内Ｗ２に挿入される挿入体３を有しており、この挿
入体３は、前記給気用貫通孔Ｗ２の形状に合わせて、本実施例においては円筒状としている。
【００２９】
そして、この挿入体３の先端部の外周には化粧縁部４が外周側に向けて連設されており、この化粧縁部４は、前記給気用貫通孔Ｗ２の孔縁を覆うために用いられている。なお、挿入体３は必ずしも円筒状である必要はなく、給気用貫通孔Ｗ２の形状が角孔であれば角筒状にする。
【００３０】
次に、図において５はスライダー受け部である。即ち、本実施例の換気口カバー１では、前記挿入体３内にスライダー受け部５が支持されており、このスライダー受け部５は、中空の角棒状としており、支持板８によって、前記挿入体３の中心部分に支持されている。
【００３１】
即ち、前記スライダー受け部５の４か所の角部分にはそれぞれ、放射状方向に向けて板状とした支持板８が連設されており、この支持板８の先端部は前記挿入体３内壁に連結されている。そしてこれにより、前記スライダー受け部５は、前記挿入体３の内部における中心部分に支持されている。但し、前記支持板８は必ずしも板状にする必要はなく、挿入体３の内部にスライダー受け部５を支持可能であればいずれの形態でもよい。
【００３２】
次に、図１において前記本体部２の室内側の開口２０１を開閉自在に閉鎖する風量調整板について説明すると、図１、２において１０が風量調整板であり、本実施例において風量調整板９は、前記挿入体３の開口を十分に覆うことが可能な面積を有する角型の板状としており、前記化粧縁部４の内周側に配置されることとしている。
【００３３】
そして、風量調整板９における前記本体部２に対向する面、即ち風量調整板９の裏面には、本体部２側に向けてスライダーが突設されている。即ち、図１、２において１０がスライダーであり、本実施例においてスライダー１０は、角棒状としており、長手方向に沿って間隔を置いて係止凹部１１が形成され、前記スライダー受け部５内に挿抜自在に挿入されている。
【００３４】
また、前記スライダー受け部５内には弾性体としてのスプリング１２が備えられており、このスプリング１２は、スライダー受け部５内に挿入された前記スライダー１０を、スライダー１０がスライダー受け部５から抜ける方向へ付勢している。即ち、前記スライダー受け部５は、室内側、即ち風量調整板５側は解放され、屋外側は閉鎖されており、その内部において、屋外側の閉鎖された部分とスライダー１０間にスプリング１２が配設されており、これにより、前記スライダー１０は常時、スライダー受け部５から抜ける方向へ付勢されている。なお、本実施例においては、前記スライダー１０の先端部に長手方向に向けて小孔を形成して、この小孔内にスプリング１２の先端を挿入させ、これによりスプリング１２の位置を固定している。
【００３５】
そして、前記スライダー１０は、ストッパーによって、スライダー受け部５から抜け出ることが阻止されている。即ち、図において１３がストッパーであり、このストッパー１３は、前記スライダー１０の挿抜方向に直交する方向に向けて移動自在としている。また、前記ストッパー１３には係止爪部１５が形成されており、この係止爪部１５は、前記スライダー１０に形成した係止凹部１１に係止可能としており、係止凹部１１に係止爪部１５を係止した状態では、前記スライダー１０は前記スライダー受け部５から抜ける方向へは移動できず、一方、スライダー１０がスライダー受け部５へ挿入される方向への移動は可能となる。
【００３６】
この関係を詳細に説明すると、図６はスライダー受け部５内にスライダー１０が挿入されているとともに、スライダー１０の係止凹部１１にストッパー１３の係止爪部１４が係止している状態を示しており、図７は、スライダー受け部５、スライダー１０及びストッパー１３を分解して示した図である。
【００３７】
そして、図においてストッパー１３は、前記スライダー受け部５の下端部に周設される枠状のストッパー本体１４を有しており、このストッパー本体１４は、スライダー受け部５の長手方向に直交する方向に移動自在であり、内周側の先端部には、前記スライダー１０に形成した係止凹部１１に係止される係止爪部１５が形成されている。
【００３８】
一方、前記スライダー受け部５は、前記ストッパー１３がスライド自在に嵌合されるガイドを有しており、前記ストッパー１３は、前記ガイドに嵌合することで、スライダー受け部５の長手方向に直交する方向にのみ移動自在としている。即ち、前記スライダー受け部５の下端部分には、対向する側壁の外周側にそれぞれ、上下二段に亘り、スライダー受け部５の長手方向に直交する方向に向けて長尺のガイド部材７０１が連設され、これにより、ガイド部材７０１間にガイド溝７０２が形成され、このガイド部材７０１とガイド溝７０２でガイド７が構成されている。
【００３９】
また、前記スライダー受け部５の下端部分において、ガイド７が形成された側壁以外の側壁の一方部分には切り欠き部６が形成されている。そして、前記ストッパー１３は、前記ガイド溝７０２内に嵌合する形態で、かつ、係止爪部１５が前記切り欠き部６内に対向する配置で、ガイド溝７０２に沿ってスライダー受け部５の長手方向に直交する方向へ移動自在にして、前記スライダー受け部５の下端部に周設されている。また、ストッパー１３は、前記スライダー受け部５における切り欠き６に対向する側壁と前記ストッパー本体１４の内周の基端側間に介在させたスプリング１６により、常に基端側に、即ち反スライダー受け部側に付勢されている。そしてこれにより、係止爪部１５は常に、切り欠き部６を通過してスライダー受け部５内に侵入している。
【００４０】
一方、前記ストッパー本体１４の基端側にはレバー１７が連設されており、このレバー１７の反ストッパー本体部側には押圧部１８が連設されており、押圧部１８をストッパー本体１４の側に押圧してストッパー本体１４を先端側に移動することで、係止爪部１５をスライダー受け部５から出すことが可能である。なお、本実施例において前記押圧部１８は、前記化粧縁部４に形成した押圧部用切り欠き４０１内に配置されている。
【００４１】
次に、前記スライダー１０に形成した係止凹部１１は、スライダー１０の側面からスライダー１０の長手方向に直交する方向へ形成された水平面１１０１と、この水平面１１０１の最奥部から斜め下方に向けて形成されたテーパー面１１０２により形成されている。そして、本実施例においては、スライダー１０の長手方向に沿って間隔を置いて、４個の係止凹部１１が形成されており、この係止凹部１１が前記スライダー受け部５の下端に形成した切り欠き部６に対向する配置で、前記スライダー１０はスライダー受け部５内に挿入されており、これにより、前記係止爪部１５は、係止凹部１１内に係止されている。
【００４２】
ここで、前記係止爪部１５は、前記係止凹部１１における水平面１１０１に当接する水平面と、前記係止凹付１１におけるテーパー面１１０２に当接するテーパー面を有している。従って、スライダー１０に対してスライダー受け部５内に挿入する方向への圧力が加えられると、係止凹部１１のテーパー面１１０２によって係止爪部のテーパー面１５０２に上方の圧力が加えられるが、ストッパー本体１４はガイド７によって、スライダー受け部５の長手方向に直交する方向にのみ移動可能であるために、いわゆるくさびの原理によって、係止爪部１５のテーパー面１５０２にはストッパー本体１４の先端側に向けて圧力が加えられる。そうすると、それによって、ストッパー本体１４が先端側に移動するとともに、係止爪部１５がスライダー受け部５から出るとともに係止凹部１１と係止爪部１５の係止が解除される。
【００４３】
一方、スライダー１０にスライダー受け部５内から抜ける方向への圧力が加えられた場合には、係止凹部１１の水平面１１０１によって係止爪部の水平面１５０１に下方へ向けた圧力が加えられるが、前述と同様に、ストッパー本体１４はガイド７によって、スライダー受け部５の長手方向に直交する方向にのみ移動可能であり、かつ、係止凹部１１の水平面１１０１による係止爪部の水平面１５０１に対する圧力であるためにくさびの原理は働かず、従って、係止凹部１１と係止爪部１５の係止は解除されずに維持される。
【００４４】
従って、本実施例における前記ストッパー１５は、係止爪１５を係止凹部１１に係止している状態では、スライダー１０がスライダー受け部５から抜ける方向へ移動することは阻止し、前記スライダー１０がスライダー受け部５へ挿入する方向へ移動することは許容することになる。
【００４５】
なお、前記ガイド７は必ずしも前述の構成にする必要は無く、ストッパー１３がスライダー受け部５の長手方向に直交する方向にのみ移動自在にする手段であればいずれの構成としても良い。また、係止爪部１５をスライダー受け部５内に侵入させる方法としては、必ずしも切り欠き部６を用いる必要は無く、その他、貫通孔をスライダー受け部５に形成して、この貫通孔を介して、係止爪部１５をスライダー受け部５内に侵入させても良い。
【００４６】
更に、ストッパー１３は必ずしもスライダー受け部５の下端部に周設する必要は無く、スライダー受け部５の長手方向に沿った任意の部分に周設されていれば良い。そしてこの場合には、スライダー受け部５におけるストッパー１３を周設する箇所にガイド７を形成するとともに、ストッパー１３を周設した際に係止爪部１５に対向する箇所に、係止爪部１５がスライダー受け部５内に挿入する挿入孔を形成しておく。
【００４７】
また、スライダー１０及びスライダー受け部５の形状は特に限定されず、必ずしも角棒状である必要はなく、丸棒状であってもよい。
【００４８】
次に、図１、２において１９は風向き調整具である。即ち、本実施例の換気口カバー１では、前記風量調整板５の周縁部分に風向き調整壁１９を突設しており、これにより、本体部２の挿入部３の内部を介して室内に入り込んでくる風の向きを調整可能としている。
【００４９】
ここで、前記風向き調整具１９について説明すると、図５は、前記風量調整板９の裏面を示した図であり、図において１９が風向き調整具である。そして、本実施例において風向き調整具１９は、互いに先端部の位置が異なる、即ち高さが異なる円弧状の風防壁１９ａ、１９ｂ、１９ｃ、１９ｄを、円弧方向へ連設して構成されている。そして、本実施例においては、この風向き調整具１９を、風量調整板９の周縁部の一部に配置して、風向き調整具１９の風防壁が配置されない箇所も備えている。
【００５０】
また、本実施例において前記風向き調整具１９は、風向き調整具１９の厚み分程度の間隔を置いて対向するようにして風量調整板９の複数個所に立設された一対のリブ２０間に挟持されながら風量調整板９に突設されており、これにより、回動自在かつ、着脱自在としている。
【００５１】
従って、風向き調整具１９を回動することで、例えば、強い風を室内に入れたくない側に先端部分の高さが最も高い風防壁１９ａが配置されるようにすることで、当該側から室内に風が入り込んでくることを防止でき、またその他の風防壁を用いることで室内に入り込んでくる風の風量を微調整することができる。
【００５２】
更に、室内に入り込んでくる風の風量等の調整を欲しない方向がある場合は、その方角に風防壁が存在しないように風向き調整具１９を回動することで対応することもできる。
【００５３】
更にまた、風向き調整具１９は、一対のリブ２０間に下端を挿入して一対のリブ２０間に挟持されながら風量調整板９に着脱自在に突設されており、上方に持ち上げることで風量調整板９から取り外すことができるため、風向きの調整を全く欲しない場合には、風向き調整壁１９を風量調整板９から取り外すことで対応することもできる。
【００５４】
但し、前記風向き調整具１９は、必ずしも着脱自在にする必要は無く、回動自在のみにしてもよい。また、風向き調整具１９の取付方法は必ずしも前述のようなリブ２０による必要はなく、風量調整板９に風向き調整具１９の下端が嵌合する円形の溝を形成する等、いずれの方法を採用しても良い。
【００５５】
次に、このように構成される本実施例の換気口カバー１の作用について説明すると、図１の状態はスライダー１０がスライダー受け部５の最奥部まで挿入されており、ストッパー１３の係止爪部１５がスライダー１０の最先端側の係止凹部１１に係止されており、風量調整板９が本体部２の室内側の開口２０１を全閉している状態であり、この状態では、スプリング１２によって、スライダー１０は、スライダー受け部５から抜ける方向へ付勢されており、スライダー１０にはスライダー受け部５内から抜ける方向への圧力が加えられているが、前述したように、係止凹部１１と係止爪部１５の係止は解除されないために、ストッパー１３を操作しない限りは、スライダー１０をスライダー受け部５から抜くことはできず、従って風量調整板９を移動させて本体部２の室内側の開口２０１を開くことはできない。
【００５６】
次に、図１の状態において、押圧部１８を本体部２の中心側に押すことで、レバー１７を介してストッパー本体１４を先端側に移動すると、係止爪部１５がスライダー受け部５から出す方向に移動するとともに、スライダー１０の係止凹部１１と係止爪部１５の係止が解除される。
【００５７】
そうすると、スライダー１０は、スプリング１２によって、スライダー受け部５から抜ける方向へ付勢されているために、スライダー受け部５から抜ける方向へ移動するとともに、それにより、風量調整板９が室内側へ移動して、本体部２の室内側開口２０１を開放していく。そしてそのとき、押圧部１８に対する押圧を断続的に行うことで、スライダー１０を段階に伸ばして風量調整板９を段階的に室内側へ移動させることで、本体部２の室内側開口２０１を段階的に開放していくことができる。
【００５８】
一方、押圧部１８を比較的長時間押していることで、１回の動作で、スライダー１０を最長まで伸ばすとともに風量調整板９を室内側へ移動させることで、本体部２の室内側開口２０１を一気に全開にすることが可能であり、この全開の状態が図２である。なおこのとき、風量調整板９が全開したときにスライダー１０がそれ以上スライダー受け部５から抜けないように、スライダー１０を抜ける方向に付勢しているスプリング１２を調整するか、あるいは、スライダー受け部５に、スライダー１０の移動を制御するストッパーを備えると良い。
【００５９】
そして、この状態において、風向き調整具１９を回動することで、室内に入り込んでくる風の向きを調整することができるとともに、風向き調整具１９は互いに高さの異なる複数の風防壁を備えているために、風向き調整具１９を回動して風向き調整に用いる風防壁を選択することで、風向きのみならず、風量をも細かく調整することが可能である。
【００６０】
次に、図２の全開の状態で、風量調整板９を壁側に押すことで、スライダー１０をスライダー受け部５に挿入する方向へ向けて圧力を加えると、前述したように、係止凹部１１と係止爪部１５の係止が解除されてスライダー１０をスライダー受け部５内に挿入することができ、従って、風量調整板９を壁側に移動させて本体部２の室内側開口２０１を閉じていくことが可能である。そしてそのとき、風量調整板９を段階的に壁側に押すことで、係止爪部１５を係止凹部１１に段階的に係止して、本体部２の室内側開口２０１を段階的に閉鎖していくことができるとともに、風量調整板９を一気に壁側に押すことで、係止爪部１５を最先端側の係止凹部１１に係止して、本体部２の室内側開口２０１一気に全閉することが可能である。この全閉の状態が図１の状態であり、この状態では前述したように、風量調整板９を押し込んでも全閉状態は解除されず、ストッパー１３を操作しない限りは、風量調整板９を移動させて本体部２の室内側の開口２０１を開くことはできない。
【００６１】
このように、本実施例の換気口カバー１では、風量調整板９を本体側に押し込むことで、段階的に、あるいは一気に本体部の室内側開口を閉鎖していくことができるとともに、ストッパーを操作することで、同じく段階的あるいは一気に、本体部の室内側開口を開放していくことができ、更に、ストッパーを操作しない限りは風量調整板を移動させることができないために、本体部の室内側開口を全閉にする過程において、風量調整板を押し込み過ぎることで本体部の室内側開口が開いてしまうことを確実に防止することが可能である。
【００６２】
また、本実施例の換気口カバーでは、互いに高さの異なる風防壁で構成されている風向き調整具１９を、回動かつ着脱自在にして風量調整板におけるスライダーの周囲に突設しているため、室内に取り入れる風の向きを調整できるとともに、そのとき、風向きを調整するための風防壁を選択することで、風量を微調整することも可能である。
【００６３】
なお、ここで図１１は本実施例の換気口カバーの他の構成を示しており、図１１に示す構成では、スライダー１０における最先端側の係止凹部１１と風量調整板９間の距離を長くすることで、前述の構成に比較して、風量調整板９を室内側に移動して挿入体３と風量調整板９の距離を広げるとともに、化粧縁部４の奥行きの距離を伸ばして風量調整板９が化粧縁部４の内周側に配置されるようにしている。そしてこれにより、風防壁をレバー１７側に回したときでも、全閉状態で風防壁がストッパー１３に接触してしまうことを防止することができる。従って、本発明の換気口カバー１では、挿入体３と風量調整板９間の距離は特に限定されずに、スライダー１０の長さを調整することで、挿入体３の先端部と風量調整板９間の距離を任意に設定可能である。
【実施例２】
【００６４】
本発明の換気口カバーの第２実施例について図面を参照して説明すると、本実施例の換気口カバーでは、ストッパーの構成に特徴があり、その他の構成は前述の実施例と同様であるために、スライダー、スライダー受け部及びストッパーの関係のみ説明し、その他の部分は説明を省略する。
【００６５】
即ち、図８乃至図１０が第２実施例におけるスライダー、スライダー受け部及びストッパーの関係を示した断面図であり、図において２１がストッパーであり、１０はスライダー、及び、５はスライダー受け部である。
【００６６】
そして、本実施例において前記ストッパー２１は、スライダー５に形成した係止凹部１１に係止される係止爪部２３を先端部に有したストッパー本体２２を有しており、このストッパー本体２２は、ストッパー受け部５に形成した組み込み部３０内に軸支されている。また、軸支に際してストッパー本体２２は、係止爪部２３が係止凹部１１に係止する方向及び係止が解除される方向の双方に回動自在とされており、更に、スプリング２４により、常時、係止爪部２３が係止凹部１１に係止する方向に付勢されている。
【００６７】
また、ストッパー本体２２の基端側にはレバー２５が配置されており、このレバー２５は、先端部が前記ストッパー本体２２の基端側に当接するか近接しており、押圧部２６によって、ストッパー本体２２の基端を押すことで、前記ストッパー本体２２は、係止凹部１１に対する係止爪部２３の係止が解除する方向に回動する。
【００６８】
そして、前記レバー２５は、スプリング２７により、先端部と前記ストッパー本体２２の基端側との当接あるいは近接を解除する方向へ付勢されており、従って、前記係止爪部２３は常時、スライダー１０の係止凹部１１に係止している。
【００６９】
また、レバー２５は、前記ストッパー本体２２の基端側を押圧する押圧片２８と、スプリング２７により付勢される被付勢片２９に枝分かれしており、押圧片２８と被付勢片２９は、前記組み込み部３０の側壁を貫通して組み込み部３０内に位置している。即ち、前記スプリング２７は、前記組み込み部３０内において、スライダー受け部５の内壁と被付勢片２９間に介在されている。
【００７０】
一方、本実施例において前記スライダー１０は、係止凹部１１がスライダー受け部５の組み込み部３０側に向くような配置でスライダー受け部５内に挿装されており、前述の実施例と同様に、スプリング１２によって、スライダー受け部５から抜ける方向へ付勢されている。
【００７１】
また、本実施例における係止凹部１１も、前述の実施例と同様に、スライダー１０の側面からスライダー１０の長手方向に直交する方向へ形成された水平面１１０１と、この水平面１１０１の最奥部から斜め下方に向けて形成されたテーパー面１１０２により形成されている。そして、係止爪部２３もまた、係止凹部１１における水平面１１０１に当接する水平面と係止凹部１１におけるテーパー面１１０２に当接するテーパー面を有しており、従って、スライダー１０に対してスライダー受け部５内に挿入する方向への圧力が加えられた場合は、くさびの原理により、ストッパー本体２２は係止凹部１１と係止爪部２３が解除する方向へ回動し、それによりスライダー１０はスライダー受け部５内に挿入していく。
【００７２】
一方、スライダー１０に対してスライダー受け部５内から抜ける方向への圧力が加えられた場合は、係止凹部１１の水平面１１０１によって係止爪部の水平面に下方へ向けた圧力が加えられるが、このとき、ストッパー本体２２は係止爪部２３が係止凹部１１に係止する方向に向けて回動軌跡を持つため、スライダー１０はストッパー本体２２によって、スライダー受け部５の内壁に押しつけられる。そうすると、スライダー１０は、スプリング１２の付勢力に抗して固定状態になり、係止凹部１１と係止爪部１５の係止は解除されずに維持され、スライダー１０がスライダー受け部５から抜ける方向へ移動することはできない。
【００７３】
従って、本実施例における前記ストッパー２１もまた、係止爪２３を係止凹部１１に係止している状態では、スライダー１０がスライダー受け部５から抜ける方向へ移動することは阻止し、前記スライダー１０がスライダー受け部５へ挿入する方向へ移動することは許容することになる。
【００７４】
次に、本実施例におけるストッパー２１の作用について説明すると、図８の状態はスライダー１０がスライダー受け部５の最奥部まで挿入されており、ストッパー２１の係止爪部１５がスライダー１０の最先端側の係止凹部１１に係止されており、風量調整板９が本体部２の室内側の開口２０１を全閉している状態である。そしてこの状態では、スプリング１２によって、スライダー１０はスライダー受け部５から抜ける方向へ付勢され、スライダー１０にはスライダー受け部５内から抜ける方向への圧力が加えられているが、前述したように、係止凹部１１と係止爪部１５の係止は解除されないために、ストッパー２１を操作しない限りスライダー１０をスライダー受け部５から抜くことはできず、従って風量調整板９を移動させて本体部２の室内側の開口２０１を開くことはできない。
【００７５】
次に、図８の状態において、押圧部２６をスライダー受け部５側に押すことで、レバー２５を介してストッパー本体２２を係止爪部２３と係止凹部１１の係止が解除する方向へ回動すると、スライダー１０の係止凹部１１と係止爪部２３の係止が解除される。
【００７６】
そうすると、スライダー１０は、スプリング１２によって、スライダー受け部５から抜ける方向へ付勢されているために、スライダー受け部５から抜ける方向へ移動するとともに、それにより、風量調整板９が室内側へ移動して、本体部２の室内側開口２０１を開放していく。そしてそのとき、押圧部２６に対する押圧を断続的に行うことで、スライダー１０を段階に伸ばして風量調整板９を段階的に室内側へ移動させることで、本体部２の室内側開口２０１を段階的に開放していくことができる。
【００７７】
一方、押圧部２６を比較的長時間押していることで、１回の動作で、スライダー１０を最長まで伸ばすとともに風量調整板９を室内側へ移動させることで、本体部２の室内側開口２０１を一気に全開にすることが可能である。この全開の状態が図１０であり、スライダー１０が伸びていく過程を示した図が図９である。なおこのとき、風量調整板９が全開したときにスライダー１０がそれ以上スライダー受け部５から抜けないように、スライダー１０を抜ける方向に付勢しているスプリング１２を調整するか、あるいは、スライダー受け部５に、スライダー１０の移動を制御するストッパーを備えると良い。
【００７８】
そして、この状態においては、前述の実施例の場合と同様に、風向き調整具１９を回動することで、室内に入り込んでくる風の向きを調整することができるとともに、風向きのみならず、風量をも細かく調整することが可能である。
【００７９】
次に、図１０の全開の状態で、風量調整板９を壁側に押すことで、スライダー１０をスライダー受け部５に挿入する方向へ向けて圧力を加えると、前述したように、係止凹部１１と係止爪部２３の係止が解除されてスライダー１０をスライダー受け部５内に挿入することができ、従って、風量調整板９を壁側に移動させて本体部２の室内側開口２０１を閉じていくことが可能である。そしてそのとき、風量調整板９を段階的に壁側に押すことで、係止爪部２３を係止凹部１１に段階的に係止して、本体部２の室内側開口２０１を段階的に閉鎖していくことができるとともに、風量調整板９を一気に壁側に押すことで、係止爪部２３を最先端側の係止凹部１１に係止して、本体部２の室内側開口２０１一気に全閉することが可能である。前述したように、この全閉の状態が図７の状態であり、この状態では、風量調整板９を押し込んでも全閉状態は解除されず、ストッパー２５を操作しない限りは、風量調整板９を移動させて本体部２の室内側の開口２０１を開くことはできない。
【００８０】
このように、本実施例の換気口カバー１でも、風量調整板９を本体側に押し込むことで、段階的に、あるいは一気に本体部の室内側開口を閉鎖していくことができるとともに、ストッパーを操作することで、同じく段階的あるいは一気に、本体部の室内側開口を開放していくことができ、更に、ストッパーを操作しない限りは風量調整板を移動させることができないために、本体部の室内側開口を全閉にする過程において、風量調整板を押し込み過ぎることで本体部の室内側開口が開いてしまうことを確実に防止することが可能である。
【００８１】
また、室内に取り入れる風の向きを調整できるとともに、風向きを調整するための風防壁を選択することで、風量を微調整することも可能である。
【産業上の利用可能性】
【００８２】
本発明の換気口カバーでは、建物の壁に形成された給気用貫通孔に挿入される円筒形状の本体部と、本体部の室内側開口を開閉自在に閉鎖する風量調整板を具備して、風量調整板の位置調整を行うことで本体部の室内側開口の開閉割合を調整自在とした換気口カバーにおいて、換気口の段階的な開閉、あるいは一度の動作による開閉を自在にするとともに、意図しないにもかかわらず換気口が全開してしまうことを防止したことを特徴としているために、給気用貫通孔の開閉を風量調整板により自在とした換気口カバーの全般に適用可能である。
【符号の説明】
【００８３】
１    換気口カバー
２    本体部
２０１    室内側開口
３    挿入体
４    化粧縁部
４０１    押圧部用切り欠き
５    スライダー受け部
６    切り欠き部
７    ガイド
７０１    ガイド部材
７０２    ガイド溝
８    支持板
９    風量調整板
１０    スライダー
１１    係止凹部
１２    スプリング
１３    ストッパー
１４    ストッパー本体
１５    係止爪部
１６    スプリング
１７    レバー
１８    押圧部
１９    風向き調整壁
２０    係止用リブ
２１    ストッパー
２２    ストッパー本体
２３    係止爪部
２４    スプリング
２５    レバー
２６    押圧部
２７    スプリング
２８    押圧片
２９    被付勢片
３０    スライダー
３１    係止凹部
３２    スライダー受け部
３３    組み込み部
【図１】
2014145576.tif 000003
【図２】
2014145576.tif 000004
【図３】
2014145576.tif 000005
【図４】
2014145576.tif 000006
【図５】
2014145576.tif 000007
【図６】
2014145576.tif 000008
【図７】
2014145576.tif 000009
【図８】
2014145576.tif 000010
【図９】
2014145576.tif 000011
【図１０】
2014145576.tif 000012
【図１１】
2014145576.tif 000013